(57)【要約】【課題】遊技台の筺体に対する部品の組付け作業における筺体の把持性を向上すること。【解決手段】筺体と、筺体側部の接線方向に回転可能に支持され、作業者が筺体を把持するための把持部材とを備えることを特徴とする。【選択図】図２
2011000195.tif 000002
【特許請求の範囲】
【請求項１】
筺体と、
前記筺体側部の接線方向に回転可能に支持され、作業者が前記筺体を把持するための把持部材と、
を備えることを特徴とする遊技台。
【請求項２】
前記筺体側部に形成された貫通孔部を更に備え、
前記把持部材は、前記筺体の側面視で前記貫通孔部に重なる位置に設けられることを特徴とする請求項１に記載の遊技台。
【請求項３】
前記把持部材は、前記筺体内側部に設けられ、前記貫通孔部を介して、作業者が前記筺体を支持可能であることを特徴とする請求項２に記載の遊技台。
【請求項４】
前記筺体内側部との間で前記把持部材を挟持する挟持部材を更に備えたことを特徴とする請求項３に記載の遊技台。
【請求項５】
前記挟持部材は、少なくとも前記貫通孔部の外周縁を隙間なく覆うことを特徴とする請求項４に記載の遊技台。
【請求項６】
前記筺体側部に対する前記把持部材の回転角度を規制する規制部を更に備えたことを特徴とする請求項１乃至５のいずれか１項に記載の遊技台。
【発明の詳細な説明】
【技術分野】
【０００１】
本発明はスロットマシン（パチスロ）に代表される遊技台に関する。
【背景技術】
【０００２】
スロットマシンを代表とする遊技台は、その筐体内に多くの遊技装置や演出装置等を備えると共に、近年では、表示画面を拡大したり可動演出部材を採用したりすることにより演出の興趣の向上化が図られている。その一方で、遊技台の重量が重くなってしまうという問題がある。このため、例えば、特許文献１では、筺体側部に固定されたヒンジを中心にして筺体側部の法線方向に回動可能な取っ手ユニットを設けることにより筺体の把持性を向上させた構造が開示されている。
【先行技術文献】
【特許文献】
【０００３】
【特許文献１】特開２００７−１７５３５９号公報
【発明の概要】
【発明が解決しようとする課題】
【０００４】
ここで、遊技台の製造工程においては、筺体を傾倒させて筺体への部品の組付け作業を行う場合がある。
【０００５】
しかしながら、特許文献１に開示された技術では、取っ手ユニットをヒンジを中心として筺体側部の法線方向に回動させることはできるが、取っ手ユニットを筺体側部の接線方向に回動させることはできない。このため、筺体を傾倒させる際に把持性が悪く、作業効率を低下させる要因となり得る。
【０００６】
従って、本発明の目的は、遊技台の筺体に対する部品の組付け作業における筺体の把持性を向上することにある。
【課題を解決するための手段】
【０００７】
本発明によれば、筺体と、前記筺体側部の接線方向に回転可能に支持され、作業者が前記筺体を把持するための把持部材と、を備えることを特徴とする遊技台が提供される。
【発明の効果】
【０００８】
本発明によれば、遊技台の筺体に対する部品の組付け作業における筺体の把持性を向上することができる。
【図面の簡単な説明】
【０００９】
【図１】本発明の一実施形態に係るスロットマシン１００の外観斜視図である。
【図２】（ａ）は本発明の第１実施形態に係る取っ手部の構成を示す分解斜視図であり、（ｂ）は取っ手部の構成を示す断面図である。
【図３】各作業体勢毎の取っ手部の動作態様を示す図である。
【図４】第１実施形態の変形例１に係る取っ手部の構成を示す分解斜視図である。
【図５】第１実施形態の変形例２に係る取っ手部の構成を示す分解斜視図である。
【図６】（ａ）は第２実施形態に係る取っ手部の構成を示す分解斜視図であり、（ｂ）は取っ手部の動作態様を示す斜視図であり、（ｃ）は第２実施形態の変形例１に係る取っ手部の構成を示す分解斜視図である。
【図７】第２実施形態の変形例１に係る取っ手部の動作態様を示す斜視図である。
【図８】（ａ）は第２実施形態の変形例２に係る取っ手部の構成を示す斜視図であり、（ｂ）は非操作状態の取っ手部を示す図であり、（ｃ）は操作状態の取っ手部２０を示す図である。
【図９】他の実施形態に係る取っ手部の構成を示す分解斜視図である。
【図１０】他の実施形態に係る取っ手部の構成を示す分解斜視図である。
【図１１】（ａ）は取っ手部をリール装置に適用した例を示す図であり、（ｂ）は取っ手部が図１１（ａ）で示す状態から９０度回転した例を示す図である。
【図１２】（ａ）は取っ手部をパチンコ台に適用した例を示す図であり、（ｂ）は取っ手部をゲーム台に適用した例を示す図である。
【発明を実施するための形態】
【００１０】
＜第１実施形態＞
［共通構成］
図１に示すスロットマシン１００は、本体１０１と、本体１０１の正面に取付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１１】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組み合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１２】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１３】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１４】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１５】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１６】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１３４から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１７】
スタートレバー１３５は、リール１１０乃至１１２の回転を開始させるためのレバー型のスイッチである。即ち、メダル投入口１３４に所望のメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１８】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００１９】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２０】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２１】
音孔１６０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。
【００２２】
この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２３】
［取っ手部の構成］
図２において、（ａ）は本発明の第１実施形態に係る取っ手部の構成を示す分解斜視図であり、（ｂ）は取っ手部の構成を示す断面図である。
【００２４】
スロットマシン１００は、筺体１１（上述の本体１０１と同じ）と、筺体１１側部に形成された貫通孔部１２と、筺体１１側部の接線方向に回転可能に支持され、作業者が筺体１１を把持するための把持部材１３と、筺体１１内側部との間で把持部材１３を挟持する挟持部材１４とを備える。
【００２５】
貫通孔部１２は、筺体１１外方側の小径孔部１２ｃと、筺体１１内方側の大径孔部１２ｄとを有し、小径孔部１２ｃと大径孔部１２ｄとの間に段差を形成している。
【００２６】
把持部材１３は、貫通孔部１２に対応する形状である挿嵌部１３ａと、挿嵌部１３ａから筺体１１内方に延びる内方延伸部１３ｂとを有する。挿嵌部１３ａは、筺体１１外方側の小径挿嵌部１３ｃと、筺体１１内方側の大径挿嵌部１３ｄとを有する。内方延伸部１３ｂは、挟持部材１４の内方で上方に折り曲げられている。挿嵌部１３ａと内方延伸部１３ｂは、中空状に形成され、筺体１１外方側端部が開口し、筺体１１内方側端部が閉じた形状とされる。これにより、作業者が貫通孔部１２を介して、把持部材１３を把持することができる。把持部材１３は、筺体１１の側面視で貫通孔部１２に重なる位置における筺体１１内側部に設けられる。すなわち、把持部材１３は、貫通孔部１２に挿嵌され、小径孔部１２ｃと大径孔部１２ｄとの間の段差で筺体１１外方への移動が規制される。
【００２７】
挟持部材１４は、リング状に形成され、把持部材１３の筺体１１内方への移動を規制するように、貫通孔部１２の外周縁を隙間なく覆っている。挟持部材１４は、ボルト等で筺体１１内側部に固定される。これにより、貫通孔部１２を介して筺体１１内に不正アクセスが行われることを防止することができる。
【００２８】
図３は、各作業体勢毎の取っ手部の動作態様を示す図である。取っ手部を上述の構成とすることにより、把持部材１３が３６０度回転可能となる。これにより、筺体１１の角度によらずに、作業者が把持し易い角度で把持可能となる。
【００２９】
［変形例１］
図４は、第１実施形態の変形例１に係る取っ手部の構成を示す分解斜視図である。取っ手部の構成として、筺体１１内側部に対する把持部材１３の回転角度を規制する規制部１５を更に備えていてもよい。規制部１５は、大径孔部１２ｄの外周縁に所定角度に渡って設けられ、大径孔部１２ｄよりも大径である第１規制部１５ｃと、大径挿嵌部１３ｄの外周縁に所定角度に渡って設けられ、大径挿嵌部１３ｄよりも大径である第２規制部１５ｄとを有する。例えば、上述の所定角度を、第１規制部１５ｃが１８０度、第２規制部が９０度に設定すれば、第２規制部１５ｄは、第１規制部１５ｃの端部の段差により９０度の範囲に回転が制限されることとなる。
【００３０】
［変形例２］
図５は、第１実施形態の変形例２に係る取っ手部の構成を示す分解斜視図である。上述の変形例１では、把持部材１３の回転範囲を９０度に設定したが、同様に、所定角度を、第１規制部１５ｃが２７０度、第２規制部１５ｄが９０度に設定すれば、第２規制部１５ｄは、第１規制部１５ｃの端部の段差により１８０度の範囲に回転が制限されることとなる。同図で示すように、内方延伸部１３ｂと筺体１１側部との間に電子基板Ｄ等を配置した場合に、内方延伸部１３ｂが上方に起立している状態では、電子基板Ｄを取り外すことができないが、下方に延びている状態まで１８０度回転させると、電子基板Ｄを取り外すことが可能となる。ただし、電子基板Ｄの上方にリブ等の干渉物が存在し、上方には抜き取れない状況を想定する。
【００３１】
＜第２実施形態＞
図６において、（ａ）は第２実施形態に係る取っ手部の構成を示す分解斜視図であり、（ｂ）は取っ手部の動作態様を示す斜視図である。
【００３２】
第１実施形態では、把持部材１３を、指を挿入するために中空に形成したが、本実施形態では、把持部材１３が貫通孔部１２に架け渡された棒状のグリップ（握持部）を有する構成とする。把持部材１３は、筺体１１外方側及び内方側の双方が開放端であるため、挟持部材１４は、把持部材１３を筺体１１内方から完全に覆うように配設される。
【００３３】
本実施形態によれば、第１実施形態と同様に、把持部材１３が３６０度回転可能に支持するため、把持性を向上することが可能となる。
【００３４】
［変形例１］
図６（ｃ）は第２実施形態の変形例１に係る取っ手部の構成を示す分解斜視図であり、図７は、第２実施形態の変形例１に係る取っ手部の動作態様を示す斜視図である。
【００３５】
把持部材１３が、内周縁に複数の突状体１３ｅ’を設けた第１把持部材１３ｅと、外周縁に突状体１３ｅ’を係止する溝部１３ｆ’を設け、第１把持部材１３ｅに収容される第２把持部材１３ｆとを有していてもよい。第１把持部材１３ｅは、筺体１１内側部にボルト等で固定される。突状体１３ｅ’は、ある程度の回転力が負荷されるまでは、溝部１３ｆ’に係止されることにより回転を規制するが、それ以上の回転力が負荷されると、回転を許容するように予めサイズ等が定められる。
【００３６】
［変形例２］
図８において、（ａ）は第２実施形態の変形例２に係る取っ手部の構成を示す斜視図であり、（ｂ）は非操作状態の取っ手部を示す図であり、（ｃ）は操作状態の取っ手部を示す図である。
【００３７】
同図で示すように、第２の実施形態の変形例１の突状体１３ｅ’と溝部１３ｆ’との係止状態をグリップを握っているか否かにより調整可能である構成としてもよい。すなわち、グリップＧは、中央に切り欠きＣ１が形成されたカラーＣに収容されており、切り欠きＣ１から突出した部位を握って押し込むことにより図８（ｃ）で示すように、係止状態が解除される。一方、突出した部位を握っていない場合には、係止状態が保持される。これにより、把持部材１３の回転を任意の位置に規制可能としながら、規制状態の保持及び解除をより確実に行うことができる。
【００３８】
＜他の実施形態＞
図９は、他の実施形態に係る取っ手部の構成を示す分解斜視図である。貫通孔部１２及び挟持部材１４が、左右対称の楕円形に形成され、複数（例えば、２つ）の把持部材１３をカバーするようなサイズにしておけば、把持部材１３を配設する位置を変更することが可能となる。これにより、作業者の体型や身長等の状況に応じて、把持部材１３の把持性を更に向上することができる。
【００３９】
図１０は、他の実施形態に係る取っ手部３０の構成を示す分解斜視図である。第２実施形態の変形例１（図６（ｃ）参照）で示した第１把持部材１３ｅには、既存の部品を用いることが可能である。例えば、スピーカカバーを用いることが好適である。
【００４０】
図１１は、（ａ）は取っ手部をリール装置２００に適用した例を示す図であり、（ｂ）は取っ手部が図１１（ａ）で示す状態から９０度回転した例を示す図である。取っ手部を筺体１１内部に配設されるリール装置２００等の各部品に適用することも可能である。
【００４１】
図１２は、（ａ）は取っ手部をパチンコ台３００に適用した例を示す図であり、（ｂ）は取っ手部をゲーム台４００に適用した例を示す図である。取っ手部をパチンコ台３００やゲーム台４００等の遊技台に適用することももちろん可能である。
【００４２】
＜その他＞
上記各実施形態は、本発明の一例に過ぎず、本発明の技術的範囲は、上記各実施形態に限定されるものではない。また、上記各実施形態は、相互に又は部分的に、本発明の趣旨を逸脱しない範囲で適宜複合的に構成することができる。同様に、上記各実施形態を構成する各構成は、必ずしもその実施形態に拘束されるわけではなく、本発明の趣旨を逸脱しない範囲で独立して抽出され発明を構成することができる。
【符号の説明】
【００４３】
１１  筺体
１３  把持部材
１００  遊技台
【図１】
2011000195.tif 000003
【図２】
2011000195.tif 000004
【図３】
2011000195.tif 000005
【図４】
2011000195.tif 000006
【図５】
2011000195.tif 000007
【図６】
2011000195.tif 000008
【図７】
2011000195.tif 000009
【図８】
2011000195.tif 000010
【図９】
2011000195.tif 000011
【図１０】
2011000195.tif 000012
【図１１】
2011000195.tif 000013
【図１２】
2011000195.tif 000014